(57)【特許請求の範囲】
【請求項１】
用意される複数の撮影モードの中から、取り込み画像の撮影条件に応じた撮影モードを選択する選択手段と、
前記取り込み画像を表示させるとともに、前記選択手段により選択された撮影モードを表す画像であって前記撮影モードを表す文字が重ねられた画像を、前記取り込み画像の表示領域とは異なる領域に前記取り込み画像より小さく表示させ、前記選択された撮影モード以外の撮影モードを表す表示を、前記選択された撮影モードを表す画像とは異なる形態であって文字を含む形態で、前記選択された撮影モードを表す画像よりも小さく表示させる表示制御手段と、
ユーザにより選択された撮影モードに従って撮影を行わせる撮影制御手段と
を備える撮影装置。
【請求項２】
前記表示制御手段は、前記選択された撮影モード以外の撮影モードを表す表示として、ボタンを表示させる
請求項１に記載の撮影装置。
【請求項３】
前記表示制御手段は、前記ボタンが操作された場合、前記選択された撮影モード以外の撮影モードの一覧を表示させる
請求項２に記載の撮影装置。
【請求項４】
前記表示制御手段は、ユーザによる操作に応じて移動するカーソルがあてられている前記選択された撮影モードを表す画像により表される撮影モードの説明を表示させる
請求項１に記載の撮影装置。
【請求項５】
前記選択手段は、前記取り込み画像のフォーカスに関する情報を撮影条件として撮影モードを選択する
請求項１に記載の撮影装置。
【請求項６】
前記フォーカスに関する情報は、フォーカスの合わせられている距離である
請求項５に記載の撮影装置。
【請求項７】
前記選択手段は、前記取り込み画像の撮影条件に加えて、時間情報に応じた撮影モードを選択する
請求項１に記載の撮影装置。
【請求項８】
撮影条件を表すパラメータを含む、撮影モードを選択する基準となるパラメータが複数あり、複数のパラメータには優先度が設定されている
請求項１に記載の撮影装置。
【請求項９】
用意される複数の撮影モードの中から、取り込み画像の撮影条件に応じた撮影モードを選択し、
前記取り込み画像を表示させるとともに、選択した撮影モードを表す画像であって前記撮影モードを表す文字が重ねられた画像を、前記取り込み画像の表示領域とは異なる領域に前記取り込み画像より小さく表示させ、前記選択した撮影モード以外の撮影モードを表す表示を、前記選択した撮影モードを表す画像とは異なる形態であって文字を含む形態で、前記選択した撮影モードを表す画像よりも小さく表示させ、
ユーザにより選択された撮影モードに従って撮影を行わせる
ステップを含む情報処理方法。
【請求項１０】
用意される複数の撮影モードの中から、取り込み画像の撮影条件に応じた撮影モードを選択し、
前記取り込み画像を表示させるとともに、選択した撮影モードを表す画像であって前記撮影モードを表す文字が重ねられた画像を、前記取り込み画像の表示領域とは異なる領域に前記取り込み画像より小さく表示させ、前記選択した撮影モード以外の撮影モードを表す表示を、前記選択した撮影モードを表す画像とは異なる形態であって文字を含む形態で、前記選択した撮影モードを表す画像よりも小さく表示させ、
ユーザにより選択された撮影モードに従って撮影を行わせる
ステップを含む処理をコンピュータに実行させるプログラム。
【発明の詳細な説明】
【技術分野】
【０００１】
本発明は、撮影装置、情報処理方法、並びにプログラムに関し、特に、撮影モードの設定を、直感的に、かつ効率的に行うことができるようにした撮影装置、情報処理方法、並びにプログラムに関する。
【背景技術】
【０００２】
近年、ディジタルカメラの高機能化が進んでおり、それに伴い、ユーザ自身が選択することのできる撮影などに関する設定の数も多くなってきている。
【０００３】
各種の設定は、例えば、ディジタルカメラの背面側（レンズが設けられる側と反対側）に設けられたLCD(Liquid Crystal Display)などよりなる表示部に表示されるメニュー画面を見ながら、十字キーや決定ボタンを操作することにより行われる。
【０００４】
ユーザが設定することができる項目の１つに撮影モードがあり、例えば、撮影モードを設定しようとする場合、ユーザは、撮影モードの項目をメニュー画面から選択し、選択したときに表示される、ディジタルカメラにあらかじめ用意される撮影モードの一覧の中から所定の撮影モードを選択することによって撮影モードを設定することができる。
【０００５】
ここで、撮影モードとは、被写体の条件に適した絞り、シャッタースピードなどによって撮影が行われるようにするときに選択されるものであり、例えば、夜景を撮影するのに適した絞り、シャッタースピードなどに設定が変更される「夜景モード」や、人物を撮影するのに適した絞り、シャッタースピードなどに設定が変更される「人物モード」などがあらかじめ用意される。
【０００６】
メニュー画面から撮影モードの項目を選択したときに撮影モードのアイコンの一覧が表示され、そこからユーザが好みの撮影モードを選択することができるディジタルカメラのユーザインタフェースについては例えば非特許文献１に開示されている。
【先行技術文献】
【非特許文献】
【０００７】
【非特許文献１】“ITmediaライフスタイル：フルオートで楽しめる薄型大画面デジカメ「COOLPIX S1」[online]、平成１７年５月１１日、［平成１７年８月９日検索］、インターネット、<URL:http://www.itmedia.co.jp/lifestyle/articles/0505/11/news087_3.html>
【発明の概要】
【発明が解決しようとする課題】
【０００８】
しかしながら、撮影モードの設定が煩雑であるという問題があった。すなわち、上述したように、ユーザは、撮影モードを設定するために、メニュー画面から撮影モードの項目を選択し、選択したときに表示される一覧から所望の撮影モードを選択する必要があり、表示部に表示されている取り込み中の画像を見て構図を考えたり、シャッターチャンスを伺っているときにそのような選択操作を行うことは煩雑である。
【０００９】
また、ユーザは、どのような撮影モードがあるのかをあらかじめ把握しておき、どのような環境で撮影するときにどの撮影モードを選択すればよいのかをあらかじめ知っておく必要があり、このことも、撮影モードの設定を煩雑なものとしている。
【００１０】
本発明はこのような状況に鑑みてなされたものであり、例えば、多くの撮影モードが用意されている場合であっても、撮影モードの設定を、直感的に、かつ効率的に行うことができるようにするものである。
【課題を解決するための手段】
【００１１】
本発明の一側面の撮影装置は、用意される複数の撮影モードの中から、取り込み画像の撮影条件に応じた撮影モードを選択する選択手段と、前記取り込み画像を表示させるとともに、前記選択手段により選択された撮影モードを表す画像であって前記撮影モードを表す文字が重ねられた画像を、前記取り込み画像の表示領域とは異なる領域に前記取り込み画像より小さく表示させ、前記選択された撮影モード以外の撮影モードを表す表示を、前記選択された撮影モードを表す画像とは異なる形態であって文字を含む形態で、前記選択された撮影モードを表す画像よりも小さく表示させる表示制御手段と、ユーザにより選択された撮影モードに従って撮影を行わせる撮影制御手段とを備える。
【００１２】
前記表示制御手段には、前記選択された撮影モード以外の撮影モードを表す表示として、ボタンを表示させることができる。
【００１３】
前記表示制御手段には、前記ボタンが操作された場合、前記選択された撮影モード以外の撮影モードの一覧を表示させることができる。
【００１４】
前記表示制御手段には、ユーザによる操作に応じて移動するカーソルがあてられている前記選択された撮影モードを表す画像により表される撮影モードの説明を表示させることができる。
【００１５】
前記選択手段には、前記取り込み画像のフォーカスに関する情報を撮影条件として撮影モードを選択させることができる。
【００１６】
前記フォーカスに関する情報は、フォーカスの合わせられている距離であるようにすることができる。
【００１７】
前記選択手段には、前記取り込み画像の撮影条件に加えて、時間情報に応じた撮影モードを選択させることができる。
【００１８】
撮影条件を表すパラメータを含む、撮影モードを選択する基準となるパラメータが複数あり、複数のパラメータには優先度が設定されているようにすることができる。
【００１９】
本発明の一側面の情報処理方法は、用意される複数の撮影モードの中から、取り込み画像の撮影条件に応じた撮影モードを選択し、前記取り込み画像を表示させるとともに、選択した撮影モードを表す画像であって前記撮影モードを表す文字が重ねられた画像を、前記取り込み画像の表示領域とは異なる領域に前記取り込み画像より小さく表示させ、前記選択した撮影モード以外の撮影モードを表す表示を、前記選択した撮影モードを表す画像とは異なる形態であって文字を含む形態で、前記選択した撮影モードを表す画像よりも小さく表示させ、ユーザにより選択された撮影モードに従って撮影を行わせるステップを含む。
【００２０】
本発明の一側面のプログラムは、用意される複数の撮影モードの中から、取り込み画像の撮影条件に応じた撮影モードを選択し、前記取り込み画像を表示させるとともに、選択した撮影モードを表す画像であって前記撮影モードを表す文字が重ねられた画像を、前記取り込み画像の表示領域とは異なる領域に前記取り込み画像より小さく表示させ、前記選択した撮影モード以外の撮影モードを表す表示を、前記選択した撮影モードを表す画像とは異なる形態であって文字を含む形態で、前記選択した撮影モードを表す画像よりも小さく表示させ、ユーザにより選択された撮影モードに従って撮影を行わせるステップを含む処理をコンピュータに実行させる。
【００２１】
本発明の一側面においては、用意される複数の撮影モードの中から、取り込み画像の撮影条件に応じた撮影モードが選択され、前記取り込み画像が表示されるとともに、選択された撮影モードを表す画像であって前記撮影モードを表す文字が重ねられた画像が、前記取り込み画像の表示領域とは異なる領域に前記取り込み画像より小さく表示され、前記選択された撮影モード以外の撮影モードを表す表示が、前記選択した撮影モードを表す画像とは異なる形態であって文字を含む形態で、前記選択された撮影モードを表す画像よりも小さく表示され、ユーザにより選択された撮影モードに従って撮影が行われる。
【発明の効果】
【００２２】
本発明の一側面によれば、撮影モードの設定を、直感的に、かつ効率的に行うことができる。
【図面の簡単な説明】
【００２３】
【図１】本発明の一実施形態に係るディジタルカメラのハードウエア構成例を示すブロック図である。
【図２】シーンセレクト機能により表示される画面の例を示す図である。
【図３】シーンセレクト機能により表示される他の画面の例を示す図である。
【図４】ディジタルカメラの機能構成例を示すブロック図である。
【図５】シーンセレクト機能がオンにされているときの処理について説明するフローチャートである。
【図６】パーソナルコンピュータの構成例を示すブロック図である。
【発明を実施するための形態】
【００２４】
図１は、本発明の一実施形態に係るディジタルカメラ１のハードウエア構成例を示すブロック図である。
【００２５】
レンズ部１１は、被写体からの光を集光するレンズやフォーカス（ピント）の調整をするためのフォーカスレンズ、絞り等の光学系のモジュールから構成される。レンズ部１１を構成するレンズにより集光された被写体からの光はCCD(Charge Coupled Device)１２に入射される。
【００２６】
CCD１２は、タイミングジェネレータ（TG）２３から供給されるタイミング信号にしたがって動作することにより、レンズ部１１を介して入射する被写体からの光を受光して光電変換を行い、（光の）受光量に応じた電気信号としてのアナログの画像信号をアナログ信号処理部１３に出力する。
【００２７】
アナログ信号処理部１３は、CPU(Central Processing Unit)１８の制御にしたがい、CCD１２からのアナログの画像信号を増幅等するアナログ信号処理を行い、そのアナログ信号処理の結果得られる画像信号をA/D(Analog/Digital)変換部１４に出力する。
【００２８】
A/D変換部１４は、CPU１８の制御にしたがい、アナログ信号処理部１３からのアナログ信号の画像信号をA/D変換し、その結果得られるディジタル信号の画像データをディジタル信号処理部１５に出力する。
【００２９】
ディジタル信号処理部１５は、CPU１８の制御にしたがい、A/D変換部１４からの画像データに対してノイズ除去処理等のディジタル信号処理を施し、信号処理により得られたデータに基づいて画像を表示部１６に表示させる。
【００３０】
また、ディジタル信号処理部１５は、A/D変換部１４からの画像データを、例えば、JPEG(Joint Photographic Experts Group)方式等で圧縮し、その結果得られる圧縮画像データを記録デバイス１７に供給して記録させたり、記録デバイス１７に記録された圧縮画像データを伸張し、その結果得られる画像データを表示部１６に表示させる。
【００３１】
さらに、ディジタル信号処理部１５は、CPU１８の制御にしたがい、撮影に関する設定をユーザが行うためのメニューなどを表示部１６に表示させる。
【００３２】
表示部１６はLCDなどより構成され、ディジタル信号処理部１５の制御にしたがい、CCD１２により取り込まれている画像や、設定の変更などを行うときに用いられるメニュー画面などを表示する。
【００３３】
記録デバイス１７は、例えば、半導体メモリよりなるメモリカード等のリムーバブル記録媒体であり、ディジタルカメラ１に対して容易に着脱可能になっている。ハードディスクドライブなどにより記録デバイス１７が構成されるようにしてもよい。
【００３４】
CPU１８は、プログラムROM(Read Only Memory)２１に記録されているプログラムを実行することにより、また、操作部１９からの信号に応じて、ディジタルカメラ１を構成する各部を制御して各種の処理を行う。
【００３５】
後に詳述するように、例えば、CPU１８は、ディジタルカメラ１にあらかじめ用意される複数の撮影モードの中から、現在の日時や、取り込まれている画像の明るさなどの条件に応じて、所定の数の撮影モードを現在の条件にあうおすすめの撮影モードとして選択し、その中からユーザが１つの撮影モードを選択することができるような画面を表示させる。ユーザは、表示される画面から１つの撮影モードを選択することによって、撮影しようとしている被写体を適切な設定で撮影することができる。
【００３６】
操作部１９は、電源スイッチ、シャッタボタン、ズームボタン、モードダイヤル（撮影モードを変更するとき操作されるダイヤル）、十字キー、決定ボタンなどよりなり、ユーザによって操作されることに応じて、その操作に対応した信号をCPU１８に出力する。
【００３７】
EEPROM(Electrically Erasable Programmable ROM)２０は、CPU１８の制御にしたがい、ディジタルカメラに設定された各種の情報その他の、ディジタルカメラの電源がオフにされたときも保持しておく必要があるデータ等を記憶する。
【００３８】
プログラムROM２１は、CPU１８が実行するプログラム、さらには、CPU１８がプログラムを実行する上で必要なデータを記憶している。RAM(Read Only Memory)２２は、CPU１８が各種の処理を行う上で必要なプログラムやデータを一時記憶する。
【００３９】
タイミングジェネレータ２３は、CPU１８の制御にしたがい、タイミング信号をCCD１２に出力する。タイミングジェネレータ２３からCCD１２に供給されるタイミング信号によって、CCD１２における露出時間（シャッタースピード）等が制御される。
【００４０】
モータドライバ２４は、CPU１８の制御にしたがい、アクチュエータ（モータ）２５を駆動する。アクチュエータ２５が駆動されることにより、レンズ部１１を構成する絞りの調整や、レンズ部１１を構成するフォーカスレンズの移動が行われる。
【００４１】
ディジタルカメラ１にはオートフォーカス機能が搭載されている。オートフォーカス機能は、例えば、山登りサーボにより実現され、ユーザがシャッタボタンの半押し操作を行ったとき、所定の位置から開始して、フォーカスの合う位置が検出されるまでフォーカスレンズがモータドライバ２４による制御に従って順次移動される。例えば、CCD１２により取り込まれる画像の中心のコントラストが最も高い状態（高周波成分が最も大きくなる状態）が、フォーカスが合っている状態として判断される。
【００４２】
以上のように構成されるディジタルカメラ１においては、CCD１２が、レンズ部１１を介して入射する被写体からの光を受光して光電変換を行い、その結果得られるアナログの画像信号を出力する。CCD１２が出力するアナログの画像信号は、アナログ信号処理部１３およびA/D変換部１４を介することにより、ディジタル信号の画像データとされ、ディジタル信号処理部１５に供給される。
【００４３】
ディジタル信号処理部１５は、A/D変換部１４からの画像データを表示部１６に出力し、これにより、表示部１６には、いわゆる取り込み画像が表示される。ユーザは、表示部１６の表示を見て、被写体の明るさが適正な露出であるか、あるいは、フォーカスが合っているかなどを確認することになる。
【００４４】
その後、ユーザが、シャッタボタンを操作すると、その操作に応じた信号が操作部１９からCPU１８に供給される。CPU１８は、シャッタボタンの操作に応じた信号が操作部１９から供給されたとき、ディジタル信号処理部１５を制御し、そのときA/D変換部１４からディジタル信号処理部１５に供給された画像データを圧縮させ、その結果得られる圧縮画像データを記録デバイス１７に記録させる。以上のようにして写真撮影が行われる。
【００４５】
また、以上のように構成されるディジタルカメラ１には、あらかじめ用意されている複数の撮影モードの中から、現在の条件に合う所定の数の撮影モードを選択し、それをユーザに提示する機能（シーンセレクト機能）が搭載されており、ユーザは、提示されるものの中から選択するだけで撮影モードを設定することができる。すなわち、ユーザは、撮影しようとしている被写体の条件などから、それに適した撮影モードを自ら判断し、判断した撮影モードをメニュー画面などから選択する必要がない。
【００４６】
ここで、ディジタルカメラ１にあらかじめ用意される撮影モードについて説明する。
【００４７】
ディジタルカメラ１には、例えば、「夜景モード」、「夜景＋人物モード」、「花火モード」、「ローソクモード」、「スポーツモード」、「スノーモード」、「ビーチモード」、「風景モード」、「ポートレートモード」、「マクロ撮影モード」、「拡大鏡モード」が用意される。
【００４８】
「夜景モード」は、暗さの雰囲気を損なわないように夜景を撮影するためのモードであり、例えば、シャッタースピードを遅めとして、かつ、ストロボの発光を禁止した状態で撮影が行われるように設定される。
【００４９】
「夜景＋人物モード」は、夜景と人物を撮影するためのモードであり、例えば、シャッタースピードを遅めとして、かつ、ストロボを強制的に発光させた状態で撮影が行われるように設定される。
【００５０】
「花火モード」は、打ち上げ花火などを撮影するためのモードであり、例えば、合焦範囲を無限遠、絞りを開放気味、シャッタースピードを遅めとした状態で撮影が行われるように設定される。
【００５１】
「ローソクモード」は、暗闇にあるロウソクの明かりで人物を撮影するためのモードであり、例えば、シャッタースピードを遅めとして、かつ、ISO感度を高めとした状態で撮影が行われるように設定される。
【００５２】
「スポーツモード」は、動きの早い被写体を、いわゆる被写体ぶれを防ぎつつ撮影するためのモードであり、例えば、シャッタースピードを早めとした撮影が行われるように設定される。
【００５３】
「スノーモード」は、雪景色を撮影するためのモードであり、例えば、EV値（露出値）を＋方向に補正した状態で撮影が行われるように設定される。
【００５４】
「ビーチモード」は、海や青空を撮影するためのモードであり、例えば、絞りを絞り気味に、かつ、全体的に青色が強くかかるように補正した状態で撮影が行われるように設定される。
【００５５】
「風景モード」は、山や空を撮影するためのモードであり、例えば、絞りを絞り気味に、かつ、全体的に緑色が強くかかるように補正した状態で撮影が行われるように設定される。
【００５６】
「ポートレートモード」は、人物を撮影するためのモードであり、例えば、絞りを開放気味に、かつ、全体的に肌色が強くかかるように補正した状態で撮影が行われるように設定される。
【００５７】
「マクロ撮影モード」は、オートフォーカス機能によってフォーカスを合わせることができない程近い位置にある被写体を撮影するためのモードであり、オートフォーカス機能の合焦範囲と異なる合焦範囲で撮影が行われるように設定される。レンズ部１１を構成するレンズの性能によって異なるが、例えば、通常のオートフォーカス機能の合焦範囲が０．５ｍ〜∞であるのに対し、マクロモードの合焦範囲は、ワイド端時には約０．０８ｍ〜∞、テレ端時には約０．２５ｍ〜∞となる。オートフォーカス機能の合焦範囲は、その範囲であれば、ユーザによりシャッタボタンが半押しされてから（撮影が動作が開始されてから）短い時間でフォーカスを合わせることができる範囲として設定される（マクロモードを設定した場合、フォーカスを合わせるのに時間はかかるが、近い被写体を撮影できるようになる）。
【００５８】
「拡大鏡モード」は、マクロモードよりも近い位置にある被写体を撮影するためのモードであり、焦点距離はワイド端で固定され、約０．０１ｍ〜０．２ｍの合焦範囲で撮影が行われるように設定される。
【００５９】
このような撮影モードの中から条件に合う所定の数の撮影モードが選択され、ユーザに提示される。
【００６０】
図２は、シーンセレクト機能により表示部１６に表示される画面の例を示す図である。
【００６１】
表示部１６のうちの比較的広い領域が割り当てられている取り込み画像表示領域３１には取り込み画像が表示される。取り込み画像は、現在の露出等の設定で撮影することのできる画像を表すものであり、ユーザは、この取り込み画像表示領域３１の表示を見て、現在の設定での画像の明るさなどを確認することができる。図２の例においては、取り込み画像表示領域３１には、打ち上げ花火が夜空に上がっている風景を被写体とする画像が表示されている。
【００６２】
取り込み画像表示領域３１の右上方に表示されているアイコン３１Ａ乃至３１Ｃは、それぞれ、撮影する画像のファイルサイズ、画質、記録可能な画像の残り枚数を表す。
【００６３】
図２の例においては、取り込み画像の隣には、取り込み画像より小さい大きさの画像である画像３２乃至３４と、シーン選択ボタン３５が縦に並べて表示されている。
【００６４】
画像３２乃至３４は、それぞれ、現在の条件に応じて選択された撮影モードを表す画像である。ユーザは、十字ボタンを操作してカーソル３６を移動させ、決定ボタンを押すことによって、決定ボタンを押したときにカーソル３６により選択している撮影モードでそれ以降の撮影を行うことができる。図２の例においては、カーソル３６は太線で示されており、画像３２を選択した状態となっている。
【００６５】
画像３２は「花火モード」を表す画像であり、「花火」の文字が重ねて表示されている。画像３２にカーソル３６を合わせて決定ボタンを押すことによって、ユーザは、撮影モードを「花火モード」として、すなわち、合焦範囲を無限遠、絞りを開放気味、シャッタースピードを遅めとして撮影を行うことができる。
【００６６】
画像３３は「夜景モード」を表す画像であり、「夜景」の文字が重ねて表示されている。画像３３にカーソル３６を合わせて決定ボタンを押すことによって、ユーザは、撮影モードを「夜景モード」として、すなわち、シャッタースピードを遅めとして、かつ、ストロボの発光を禁止して撮影を行うことができる。
【００６７】
画像３４は「夜景＋人物モード」を表す画像であり、「夜景＋人物」の文字が重ねて表示されている。画像３４にカーソル３６を合わせて決定ボタンを押すことによって、ユーザは、撮影モードを「夜景＋人物モード」として、すなわち、シャッタースピードを遅めとして、かつ、ストロボを強制的に発光させて撮影を行うことができる。
【００６８】
このように、画像３２乃至３４により提示される「花火モード」、「夜景モード」、および「夜景＋人物モード」は、例えば、現在の時刻（撮影しようとしている時刻）が「夜」であり、現在の日付が「夏」の日付であり、オートフォーカス機能によりフォーカスの合わせられている距離が「無限遠」であることから選択された撮影モードである。すなわち、この場合、撮影モードを選択するための基準は、現在時刻、現在の日付、オートフォーカスによりフォーカスの合わせられている距離、の３つとなっている。
【００６９】
それぞれの基準がどのような条件のときに、どの撮影モードが選択されるのかについての詳細は後述する。
【００７０】
シーン選択ボタン３５は、画像３２乃至３４により提示される撮影モード以外の、他の撮影モードを選択するときに操作されるボタンである。シーン選択ボタン３５にカーソル３６を合わせて決定ボタンを押すことによって、ユーザは他の撮影モードの一覧を表示させることができ、その一覧から、好みの撮影モードを選択することができる。
【００７１】
これらの画像３２乃至３４、およびシーン選択ボタン３５の下方には、メッセージ表示領域３７が設けられ、図２の例においては、カーソル３６により選択されている「花火モード」の説明として、「打ち上げ花火撮影  打ち上げ花火をよりキレイに・・・」のメッセージが表示されている。メッセージの表示は、そのときカーソル３６により選択されている撮影モードについてのものが表示されるように、カーソル３６の移動に伴って切り替えられる。
【００７２】
このように、あらかじめ用意されているものの中から選択されたおすすめの撮影モードが自動的に表示されることから、ユーザは、どのような撮影モードが用意されているのかをあらかじめ知っておく必要がない。また、表示されるものの中から選択するだけで撮影モードを設定することができるから、メニュー画面などから選択する場合に較べて、効率的に、撮影モードを設定することができる。
【００７３】
また、カーソル３６を移動させることによって、それぞれの撮影モードがどのようなものであるのかをメッセージを見て確認することができるから、ユーザは、どの撮影モードを、どのような条件のときに選択すればよいのかをあらかじめ知っておく必要はない。
【００７４】
図３は、シーンセレクト機能により表示部１６に表示される他の画面の例を示す図である。図２と対応する部分には同じ符号を付してある。
【００７５】
図３の例においては、取り込み画像表示領域３１には、スキー場でスノーボードをしている人物を被写体とする画像が表示されている。
【００７６】
また、図３の例においても、取り込み画像の隣には、画像３２乃至３４とシーン選択ボタン３５が並べて表示されている。
【００７７】
図３の画像３２は「スノーモード」を表す画像であり、「スノー」の文字が重ねて表示されている。画像３２にカーソル３６を合わせて決定ボタンを押すことによって、ユーザは、撮影モードを「スノーモード」として、すなわち、露出値を＋方向に補正した状態で撮影を行うことができる。
【００７８】
画像３３は「風景モード」を表す画像であり、「風景」の文字が重ねて表示されている。画像３３にカーソル３６を合わせて決定ボタンを押すことによって、ユーザは、撮影モードを「風景モード」として、すなわち、絞りを絞り気味、全体的に緑色が強くかかるように補正した状態で撮影を行うことができる。
【００７９】
画像３４は「スポーツモード」を表す画像であり、「スポーツ」の文字が重ねて表示されている。画像３４にカーソル３６を合わせて決定ボタンを押すことによって、ユーザは、撮影モードを「スポーツモード」として、すなわち、シャッタースピードを早めとして撮影を行うことができる。
【００８０】
このように、画像３２乃至３４により提示される「スノーモード」、「風景モード」、および「スポーツモード」は、例えば、現在の時刻が「夜」でない、現在の日付が「冬」の日付であり、暗い場所を撮影しようとしているのではない、ことから選択された撮影モードである。すなわち、この場合、撮影モードを選択するための基準は、現在時刻、現在の日付、撮影しようとしている場所の露出状態、の３つとなっている。なお、撮影しようとしている場所が暗い場所であるのかそうでないのかは、例えば、取り込み画像の全体の露出状態を表すヒストグラムの分布から判断される。
【００８１】
図３の例においては、これらの画像３２乃至３４、およびシーン選択ボタン３５の下方に設けられるメッセージ表示領域３７には、カーソル３６により選択されている「スノーモード」の説明として、「スノーモード  雪景色などで色が灰色っぽく・・・」のメッセージが表示されている。
【００８２】
このメッセージと取り込み画像表示領域３１に表示されている取り込み画像の表示を確認することによって、ユーザは、撮影しようとしている被写体に応じた撮影モードを選択することができる。
【００８３】
以上のような画面表示を行うディジタルカメラ１の動作についてはフローチャートを参照して後述する。
【００８４】
図４は、ディジタルカメラ１の機能構成例を示すブロック図である。図４に示す機能部のうちの少なくとも一部は、図１のCPU１８により所定のプログラムが実行されることによって実現される。
【００８５】
ディジタルカメラ１においては、パラメータ取得部５１、撮影モード選択部５２、表示制御部５３、および撮影制御部５４が実現される。
【００８６】
パラメータ取得部５１は、撮影モードを選択する基準となるパラメータを取得する。例えば、パラメータ取得部５１は、タイマから供給される、現在の日付、現在時刻の情報、撮影制御部５４から供給される、フォーカスの合わせられている距離、フォーカスの移動から判断される、被写体の動きの激しさの情報をパラメータとして取得する。
【００８７】
また、パラメータ取得部５１は、ディジタル信号処理部１５から供給される取り込み画像から、取り込み画像の露出状態（撮影場所の状態）、被写体の色合い（どの色が多く含まれるかなど）を判断し、それらの情報をもパラメータとして取得する。パラメータ取得部５１により取得されたパラメータは撮影モード選択部５２に出力される。
【００８８】
撮影モード選択部５２は、パラメータ取得部５１から供給されたパラメータに基づいて、現在の条件に応じた撮影モードを、所定の数だけ、ディジタルカメラ１にあらかじめ用意されている撮影モードの中から選択する。
【００８９】
例えば、パラメータ取得部５１から供給されるパラメータのうち、現在の日付、現在時刻、およびフォーカスの合わせられている距離、の３つのパラメータが、撮影モードの選択の基準として優先的に用いられる。他のパラメータは、優先度の低いパラメータとして、撮影モードの選択に用いられる。
【００９０】
ここで、撮影モードの選択の条件の例について説明する。
【００９１】
１．現在時刻が「夜」の時間帯の時刻である場合
「夜景モード」、「夜景＋人物モード」、「ローソクモード」、「花火モード」の４つがその順番（優先順位）で選択される。現在時刻が「夜」の時間帯の時刻である場合、他のパラメータによって、この４つの撮影モードの優先順位が入れ替えられる。
【００９２】
図２、図３に示されるような画面により撮影モードが提示される場合において、４つ以上の撮影モードが選択されたとき、例えば、上位３つの優先順位の撮影モードの画像が取り込み画像の隣に表示され、残りの撮影モードの画像は、シーン選択ボタン３５を選択したときに表示される一覧に表示される。
【００９３】
（１）現在時刻が「夜」の時間帯の時刻であり、かつ、フォーカスの合わせられている距離が「無限遠」である場合
「夜景モード」、「花火モード」、「夜景＋人物モード」、「ローソクモード」の４つがその順番で選択される。
【００９４】
（２）現在時刻が「夜」の時間帯の時刻であり、かつ、フォーカスの合わせられている距離が「無限遠」でない場合
「夜景＋人物モード」、「ローソクモード」、「夜景モード」、「花火モード」の４つがその順番で選択される。
【００９５】
（３）現在時刻が「夜」の時間帯の時刻であり、フォーカスの合わせられている距離が「無限遠」であり、さらに、現在の日付が「夏」の日付である場合
「花火モード」、「夜景モード」、「夜景＋人物モード」、「ローソクモード」の４つがその順番で選択される。この条件により選択された撮影モードは、例えば、図２に示されるようにして提示される。
【００９６】
２．現在時刻が「夜」の時間帯でなく、撮影場所の状態が「暗い場所」でない場合
「ポートレートモード」、「風景モード」、「ビーチモード」、「スノーモード」、「スポーツモード」の５つがその順番で選択される。現在時刻が「夜」の時間帯でなく、撮影場所の状態が「暗い場所」でない場合、他のパラメータによって、この５つの撮影モードの優先順位が入れ替えられる。または、５つの撮影モードのうちのいずれかが、提示する撮影モードから除外される。
【００９７】
（１）現在時刻が「夜」の時間帯でなく、撮影場所の状態が「暗い場所」でなく、さらに、現在の日付が「冬」の日付である場合
「スノーモード」、「風景モード」、「スポーツモード」、「ポートレートモード」の４つがその順番で選択される。この条件により選択された撮影モードは、例えば、図３に示されるようにして提示される。
【００９８】
（２）現在時刻が「夜」の時間帯でなく、撮影場所の状態が「暗い場所」でなく、現在の日付が「冬」の日付であり、さらに、被写体の色合いが「白」を多く含む場合
「スノーモード」、「風景モード」、「ポートレートモード」、「スポーツモード」の４つがその順番で選択される。
【００９９】
（３）現在時刻が「夜」の時間帯でなく、撮影場所の状態が「暗い場所」でなく、現在の日付が「冬」の日付であり、被写体の色合いが「白」を多く含み、さらに、フォーカスの合わせられている距離が「無限遠」である場合
「風景モード」、「スノーモード」の２つがその順番で選択される。この場合、２つの撮影モードを表す画像だけが取り込み画像の隣に表示され、他の撮影モードは、シーン選択ボタン３５を操作することによって選択可能となる。
【０１００】
（４）現在時刻が「夜」の時間帯でなく、撮影場所の状態が「暗い場所」でなく、現在の日付が「冬」の日付であり、被写体の色合いが「白」を多く含み、さらに、フォーカスが「不安定（被写体の動きが激しい）」である場合
「スポーツモード」、「スノーモード」、「ポートレートモード」の３つがその順番で選択される。
【０１０１】
（５）現在時刻が「夜」の時間帯でなく、撮影場所の状態が「暗い場所」でなく、かつ、現在の日付が「夏」の日付である場合
「ビーチモード」、「風景モード」、「スポーツモード」、「ポートレートモード」の４つがその順番で選択される。
【０１０２】
（６）現在時刻が「夜」の時間帯でなく、撮影場所の状態が「暗い場所」でなく、現在の日付が「夏」の日付であり、さらに、フォーカスの合わせられている距離が「無限遠」である場合
「風景モード」、「ビーチモード」、「ポートレートモード」、「スポーツモード」の４つがその順番で選択される。
【０１０３】
（７）現在時刻が「夜」の時間帯でなく、撮影場所の状態が「暗い場所」でなく、現在の日付が「夏」の日付であり、さらに、フォーカスが「不安定」である場合
「スポーツモード」、「ビーチモード」、「ポートレートモード」、「風景モード」の４つがその順番で選択される。
【０１０４】
３．フォーカスが「合わない」場合
「マクロモード」、「拡大鏡モード」、「風景モード」、「ポートレートモード」の４つがその順番で選択される。
【０１０５】
４．上記１乃至３の条件に当てはまらない場合
「ポートレートモード」、「風景モード」、「スポーツモード」の３つがその順番で選択される。この場合、他のパラメータによって、この３つの撮影モードの優先順位が入れ替えられる。
【０１０６】
（１）上記１乃至３の条件に当てはまらず、かつ、フォーカスの合わせられている距離が「無限遠」である場合
「風景モード」、「ポートレートモード」、「スポーツモード」の３つがその順番で選択される。
【０１０７】
（２）上記１乃至３の条件に当てはまらず、かつ、フォーカスが「不安定」である場合
「スポーツモード」、「ポートレートモード」、「風景モード」の３つがその順番で選択される。
【０１０８】
（３）上記１乃至３の条件に当てはまらず、かつ、上記４（１），（２）の条件にも当てはまらない場合
「ポートレートモード」、「風景モード」、「スポーツモード」の３つがその順番で選択される。
【０１０９】
以上のような条件に従って、撮影モード選択部５２により撮影モードが選択される。撮影モードを選択するための条件は上述したものに限られるものではない。
【０１１０】
図４の説明に戻り、撮影モード選択部５２により選択された撮影モードを識別する情報は表示制御部５３に出力される。
【０１１１】
表示制御部５３は、ディジタル信号処理部１５から供給されたデータに基づいて、取り込み画像を取り込み画像表示領域３１に表示させるとともに、撮影モード選択部５２により選択された撮影モードを撮影モード選択部５２から供給された情報に基づいて判断し、撮影モード選択部５２により選択された撮影モードを表す画像を表示させる。また、表示制御部５３は、画像を表示させた撮影モードのうち、カーソル３６により選択された撮影モードの説明をメッセージ表示領域３７に表示させる。これにより図２、図３に示されるような画面が表示される。
【０１１２】
撮影制御部５４は、モータドライバ２４を制御し、撮影に関する全体的な動作を制御する。撮影制御部５４は、ユーザにより選択された撮影モードや撮影環境に応じてシャッタースピード、絞り、露出等の設定を適宜変更し、撮影を行わせる。
【０１１３】
次に、図５のフローチャートを参照して、シーンセレクト機能がオンにされているときのディジタルカメラ１の処理について説明する。
【０１１４】
ステップＳ１において、パラメータ取得部５１は、撮影モードを選択する基準となるパラメータを取得し、取得したパラメータを撮影モード選択部５２に出力する。
【０１１５】
ステップＳ２において、撮影モード選択部５２は、パラメータ取得部５１から供給された各種のパラメータを用い、上述したような条件に従って所定の数の撮影モードを選択する。撮影モード選択部５２は、選択した撮影モードを識別する情報を表示制御部５３に出力する。
【０１１６】
ステップＳ３において、表示制御部５３は、撮影モード選択部５２から供給された情報に基づいて、撮影モード選択部５２により選択された撮影モードを表す画像を並べて表示させる。また、表示制御部５３は、ディジタル信号処理部１５から供給されたデータに基づいて、取り込み画像を取り込み画像表示領域３１に表示させる。
【０１１７】
ステップＳ４において、撮影制御部５４は、表示制御部５３により表示された画像の中からユーザにより選択された画像により表される撮影モードに応じて、シャッタースピード、絞り等の設定を変更する。
【０１１８】
シャッタボタンが押されたとき、ステップＳ５において、撮影制御部５４は、ステップＳ４で変更した設定で撮影を行う。撮影により得られた画像のデータはディジタル信号処理部１５により取得され、圧縮処理などが施される。
【０１１９】
ステップＳ６において、撮影制御部５４は、ディジタル信号処理部１５を制御して、撮影により得られた画像を記録デバイス１７に保存させ、処理を終了させる。
【０１２０】
以上の処理により、ユーザは、条件に合った撮影モードで撮影を行うことができる。
【０１２１】
以上においては、シーンセレクト機能がオンにされているとき、図２や図３に示されるような画面が表示されるものとしたが、通常時は、表示部１６の全体に取り込み画像が表示され、ユーザにおすすめできる撮影モードがあると判断されたときにだけ、図２や図３に示されるような画面が表示されるようにしてもよい。
【０１２２】
また、以上においては、文字が重ねて表示される画像によりおすすめの撮影モードが提示されるものとしたが、文字だけが表示されることによって、撮影モードが提示されるようにしてもよい。
【０１２３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１２４】
図６は、上述した一連の処理をプログラムにより実行するパーソナルコンピュータの構成の例を示すブロック図である。CPU１０１は、ROM１０２、または記憶部１０８に記憶されているプログラムに従って各種の処理を実行する。RAM１０３には、CPU１０１が実行するプログラムやデータなどが適宜記憶される。これらのCPU１０１、ROM１０２、およびRAM１０３は、バス１０４により相互に接続されている。
【０１２５】
なお、CPU１０１として、”Cell誕生”、日経エレクトロニクス、日経BP社、２００５年２月２８日、８９頁乃至１１７頁に記載されているCellを採用することができる。
【０１２６】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１２７】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１２８】
また、通信部１０９を介してプログラムを取得し、記憶部１０８に記憶してもよい。
【０１２９】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１３０】
コンピュータにインストールされ、コンピュータによって実行可能な状態とされるプログラムを格納するプログラム記録媒体は、図６に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、ディジタル衛星放送といった、有線または無線の通信媒体を利用して行われる。
【０１３１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【符号の説明】
【０１３２】
５１  パラメータ取得部，  ５２  撮影モード選択部，  ５３  表示制御部，  ５４  撮影制御部
【図１】
0005213792.tif 000002
【図２】
0005213792.tif 000003
【図３】
0005213792.tif 000004
【図４】
0005213792.tif 000005
【図５】
0005213792.tif 000006
【図６】
0005213792.tif 000007